(57)【要約】      （修正有）【課題】噴射される流体の形状を変化させることが可能なノズルであって、コンパクトで、かつ、部品点数の少ないノズルを提供する。【解決手段】ノズルは、流体を噴射する開口部６１７を有する内管６１と、内管６１の外側に設けられていて、回転可能な外管６２と、を有し、内管６１は、開口部６１７を取り囲む可動部の外周側に複数の第１凸部６１５４、６１６４を有し、外管６２は、内側に複数の第２凸部６２５を有し、外管６２が回転することにより第１凸部６１５４、６１６４が第２凸部６２５で押されることで、内管６１の開口部６１７の大きさが変化する。【選択図】図８
0003207269.tif 000002
【実用新案登録請求の範囲】
【請求項１】
流体を噴射する開口部を有する内管と、
前記内管の外側に設けられていて、回転可能な外管と、
を有し、
前記内管は、前記開口部を取り囲む可動部の外周側に複数の第１凸部を有し、
前記外管は、内側に複数の第２凸部を有し、
前記外管が回転することにより前記第１凸部が前記第２凸部で押されることで、前記内管の前記開口部の大きさが変化することを特徴とするノズル。
【請求項２】
前記内管は、流体が供給される穴を有し、
前記外管が回転していない状態では、前記穴の直径よりも前記開口部の短手方向の長さが大きく、
前記外管が回転することにより前記穴の直径よりも前記開口部の短手方向の長さが小さくなることを特徴とする、
請求項１に記載のノズル。
【請求項３】
前記第２凸部は、前記外管の周方向に沿って、前記周方向と直交する径方向の高さが徐々に大きくなる段差部であることを特徴とする、
請求項１又は２に記載のノズル。
【請求項４】
前記第２凸部は、前記外管の周方向に沿って、前記周方向と直交する径方向の高さが徐々に大きくなり、かつ、前記径方向における最大の高さを有する部分から、前記径方向の高さが徐々に小さくなる段差部であることを特徴とする、
請求項１又は２に記載のノズル。
【考案の詳細な説明】
【技術分野】
【０００１】
本考案は、ノズルに関するものである。
【背景技術】
【０００２】
水を噴射するためのホースの先端に取り付けられ、噴射される水の形状を調整可能なノズルが知られている。特許文献１には、ケーシング筒を前後に移動させることにより、ノズル本体のスリット内に設けられている弾性の散布チューブを変形させることで、ノズル本体から噴射される流体の形状を変化させることができる散布ノズルが開示されている。
【先行技術文献】
【特許文献】
【０００３】
【特許文献１】特許第３６１９７４０号公報
【考案の概要】
【考案が解決しようとする課題】
【０００４】
従来の散布ノズルは、ノズル本体から噴射される流体の形状を変化させるために、ノズル本体の外側に設けられているケーシング筒を前後方向に移動させる必要がある。このため、散布ノズルは、可動部が大きくなり、かつ、部品点数が増加してしまうという問題が生じていた。
【０００５】
そこで、本考案はこれらの点に鑑みてなされたものであり、噴射される流体の形状を変化させることが可能なノズルであって、コンパクトで、かつ、部品点数の少ないノズルを提供することを目的とする。
【課題を解決するための手段】
【０００６】
本考案の第１の態様においては、流体を噴射する開口部を有する内管と、前記内管の外側に設けられていて、回転可能な外管と、を有し、前記内管は、前記開口部を取り囲む可動部の外周側に複数の第１凸部を有し、前記外管は、内側に複数の第２凸部を有し、前記外管が回転することにより前記第１凸部が前記第２凸部で押されることで、前記内管の前記開口部の大きさが変化することを特徴とするノズルを提供する。
【０００７】
また、前記内管は、流体が供給される穴を有し、前記外管が回転していない状態では、前記穴の直径よりも前記開口部の短手方向の長さが大きく、前記外管が回転することにより前記穴の直径よりも前記開口部の短手方向の長さが小さくなるようにしてもよい。
【０００８】
前記第２凸部は、前記外管の周方向に沿って、前記周方向と直交する径方向の高さが徐々に大きくなる段差部であってもよい。また、前記第２凸部は、前記外管の周方向に沿って、前記周方向と直交する径方向の高さが徐々に大きくなり、かつ、前記径方向における最大の高さを有する部分から、前記径方向の高さが徐々に小さくなる段差部であってもよい。
【考案の効果】
【０００９】
本考案によれば、噴射される流体の形状を変化させることが可能なノズルであって、コンパクトで、かつ、部品点数の少ないノズルを提供することができるという効果を奏する。
【図面の簡単な説明】
【００１０】
【図１】第１の実施形態に係るノズル６が設けられているノズルユニットＳの構成を示す。
【図２】第１の実施形態に係るノズル６がストレート形状に水を噴射する状態の外観を示す。
【図３】図２に示す状態のノズル６の開口部６１７から噴射される水の形状例１を示す。
【図４】第１の実施形態に係るノズル６が拡散するように水を噴射する状態の外観を示す。
【図５】図４に示す状態のノズル６の開口部６１７から噴射される水の形状例２を示す。
【図６】第１の実施形態に係る内管６１の構成を示す。
【図７】第１の実施形態に係る外管６２の構成を示す。
【図８】第１の実施形態に係る内管６１に対して外管６２が回転するのに応じて開口部６１７が変化する状態を示す。
【図９】第２の実施形態に係る内管６１に対して外管６２ａが回転するのに応じて開口部６１７が変化する状態を示す。
【考案を実施するための形態】
【００１１】
＜第１の実施形態＞
図１は、第１の実施形態に係るノズル６が設けられているノズルユニットＳの構成を示す図である。ノズルユニットＳは、例えば、水を噴射するための散水ノズルユニットである。ノズルユニットＳは、接続部１、把持部２、第１供給管３、回転部４、第２供給管５、及びノズル６を有する。本明細書においては、ノズルユニットＳにおけるノズル６の側を「上方」とし、接続部１の側を「下方」とする。
【００１２】
接続部１は、ノズルユニットＳに流体Ｗが供給される接続部である。接続部１は、ノズルユニットＳの下端に設けられている。接続部１は、樹脂製で、中空を有する円柱形状である。接続部１は、例えば、ホースが接続される。接続部１からノズルユニットＳに流体Ｗが供給される。
【００１３】
把持部２は、人がノズルユニットＳを用いるときに手で握る部分である。把持部２は、例えば、樹脂製であり、中空を有する略円柱形状である。把持部２は、接続部１の上端から接続部１の長手方向における上方に向かって延伸して設けられている。
【００１４】
第１供給管３は、流体Ｗが流れる管である。第１供給管３は、金属製で、中空を有する円柱形状の管である。第１供給管３は、把持部２の上端から把持部２の長手方向における上方に向かって延伸して設けられている。回転部４は、第１供給管３の長手方向における上端に設けられている回転可能な接続部である。回転部４は、内部に空間を有する。
【００１５】
第２供給管５は、流体Ｗが流れる管である。第２供給管５は、金属製で、中空を有する円柱形状の管である。第２供給管５は、回転部４の上端から上方に向かって延伸している。第２供給管５は、回転部４を介して第１供給管３と接続されている。第２供給管５の内部の空間は、回転部４の内部の空間を介して、第１供給管３の内部の空間と連通している。第２供給管５は、第１供給管３に対して所定の角度で傾斜させることが可能である。
【００１６】
ノズル６は、流体Ｗが噴射される開口を有する部分である。ノズル６は、ノズル６から噴射される流体Ｗの形状を変化させることができる。ノズル６は、第２供給管５の長手方向における回転部４が設けられている側とは反対側の端部に設けられている。ノズル６の詳細については、後述する。接続部１から供給される流体Ｗは、接続部１、把持部２、第１供給管３、回転部４、第２供給管５、及びノズル６の内部の空間を通って、ノズル６の先端から噴射される。
【００１７】
図２は、第１の実施形態に係るノズル６がストレート形状に水を噴射する状態の外観を示す図である。図３は、図２に示す状態のノズル６の開口部６１７から噴射される水の形状例１を示す図である。図４は、第１の実施形態に係るノズル６が拡散するように水を噴射する状態の外観を示す図である。図５は、図４に示す状態のノズル６の開口部６１７から噴射される水の形状例２を示す図である。図６は、第１の実施形態に係る内管６１の構成を示す図である。図７（ａ）は、第１の実施形態に係る外管６２の構成を示す図である。図７（ｂ）は、図７（ａ）のＸ−Ｘ線断面図である。図７（ｃ）は、図７（ａ）のＹ−Ｙ線断面図である。
【００１８】
ノズル６は、内管６１及び外管６２を有する。内管６１及び外管６２は、樹脂製である。内管６１は、第２供給管５の長手方向における回転部４が設けられている側とは反対側の端部に設けられている。内管６１は、流体を噴射する開口部６１７を有する。外管６２は、内管６１の外側に設けられている。外管６２は、内管６１に対して回転可能である。ユーザが、内管６１に対して外管６２を回転させることにより、開口部６１７の大きさが変化する。具体的には、ユーザが、内管６１に対して外管６２を回転させることにより、内管６１に対して外管６２を回転させる前に比べて、開口部６１７の大きさは、小さくなる。
【００１９】
内管６１に対して外管６２を回転させない状態では、図２に示されるように、開口部６１７の大きさは、大きい。この場合、図３に示されるように、開口部６１７から噴射される流体Ｗは、ストレート形状に噴射される。内管６１に対して外管６２を回転させた状態では、図４に示されるように、開口部６１７の大きさは、図２に示す場合に比べて小さい。この場合、図５に示されるように、開口部６１７から噴射される流体Ｗは、拡散するように（ワイド形状に）噴射される。
【００２０】
内管６１は、内管本体６１１、操作部６１２、凹部６１３、穴６１４、第１可動部６１５、第２可動部６１６、及び開口部６１７を有する。内管本体６１１は、略円柱形状であり、側面に段差部を有する。操作部６１２は、円柱形状である。操作部６１２は、内管本体６１１の下端に設けられている。操作部６１２は、凸部６１２１を有する。凸部６１２１は、操作部６１２の外側に設けられている突起部である。複数の凸部６１２１が、操作部６１２の外側に設けられている。凸部６１２１は、人が操作部６１２を握るときに、指を掛けるためのものである。
【００２１】
凹部６１３は、内管本体６１１の外周面の下端部に設けられている凹部である。凹部６１３は、外管６２の凸部６２３を嵌合させるためのものである。凹部６１３が、凸部６２３に嵌合することで、外管６２は、内管６１に対して回転可能な状態で固定されている。穴６１４は、流体Ｗが通る穴である。穴６１４は、内管本体６１１及び操作部６１２の内部を軸方向に貫通して設けられている。穴６１４の下端は、第２供給管５の内部の空間と連通している。
【００２２】
第１可動部６１５及び第２可動部６１６は、内管本体６１１の長手方向における上端の面から上向きに延伸して設けられている。第１可動部６１５及び第２可動部６１６の長手方向は、内管本体６１１の長手方向と同じ方向である。第１可動部６１５と第２可動部６１６とは、可撓性を有する。
【００２３】
第１可動部６１５は、縦板部６１５１、上端部６１５２、凸部６１５３、及び第１凸部６１５４を有する。縦板部６１５１は、内管本体６１１の長手方向における上端の面から上向きに延伸して設けられている。縦板部６１５１は、長方形状を有する。縦板部６１５１は、穴６１４と内管本体６１１の上端面における外周との間に設けられている。上端部６１５２は、略半円形状を有する。上端部６１５２は、縦板部６１５１の長手方向における上端に設けられている。
【００２４】
凸部６１５３は、上端部６１５２の穴６１４側の面に設けられている。凸部６１５３は、上端部６１５２の側面の端部に縦板部６１５１の長手方向と直交して設けられている。第１凸部６１５４は、第１可動部６１５の外周側に設けられている。具体的には、第１凸部６１５４は、縦板部６１５１の外側の面から縦板部６１５１の長手方向と直交して外側に延伸して設けられている。
【００２５】
第２可動部６１６は、縦板部６１６１、上端部６１６２、凸部６１６３、及び第１凸部６１６４を有する。縦板部６１６１は、内管本体６１１の長手方向における上端の面から上向きに延伸して設けられている。縦板部６１６１は、長方形状を有する。縦板部６１６１は、穴６１４と内管本体６１１の上端面における外周との間に設けられている。上端部６１６２は、略半円形状を有する。上端部６１６２は、縦板部６１６１の長手方向における上端に設けられている。
【００２６】
凸部６１６３は、上端部６１６２の穴６１４側の面に設けられている。凸部６１６３は、上端部６１６２の側面の端部に縦板部６１６１の長手方向と直交して設けられている。第１凸部６１６４は、第２可動部６１６の外周側に設けられている。具体的には、第１凸部６１６４は、縦板部６１６１の外側の面から縦板部６１６１の長手方向と直交して外側に延伸して設けられている。
【００２７】
開口部６１７は、第１可動部６１５と第２可動部６１６との間に生じている開口部である。開口部６１７は、第１可動部６１５及び第２可動部６１６とで取り囲まれている。具体的には、上端部６１５２及び凸部６１５３と、上端部６１６２及び凸部６１６３との間に生じている開口部である。
【００２８】
外管６２は、外管本体６２１、凸部６２２、凸部６２３、凸部６２４、及び第２凸部６２５を有する。外管本体６２１は、中空を有する略円柱形状である。凸部６２２は、外管本体６２１の外側に設けられている突起部である。複数の凸部６２２が、外管本体６２１の外側に設けられている。凸部６２２は、人が外管６２を握るときに、指を掛けるためのものである。
【００２９】
凸部６２３は、外管本体６２１の内側に設けられている凸部である。凸部６２３は、外管本体６２１の下端部付近で、かつ、外管本体６２１の内周部に沿って円環状に設けられている。凸部６２３は、凹部６１３に嵌合することで、外管６２が内管６１の外側に回転可能な状態で、固定されている。凸部６２４は、外管本体６２１の内側に設けられている凸部である。凸部６２４は、外管本体６２１の上端部で、かつ、外管本体６２１の内周部に沿って円環状に設けられている。凸部６２４で形成される穴の内周は、内管６１の上端部６１５２及び上端部６１６２で形成される外周に沿っている。
【００３０】
第２凸部６２５は、外管本体６２１の内側で、かつ、外管本体６２１の長手方向における上方側の端部付近に設けられている。複数の第２凸部６２５が、外管本体６２１の内周面に、対向する位置に設けられている。第２凸部６２５は、外管６２の周方向に沿って、周方向と直交する径方向の高さが徐々に大きくなる段差部である。第２凸部６２５は、このような形状を有するので、外管６２は、内管６１に対して、一方向のみに回転可能である。
【００３１】
図８（ａ）は、第１の実施形態に係る内管６１に対して外管６２を回転させる前の状態を示す図である。図８（ｂ）は、第１の実施形態に係る内管６１に対して外管６２を回転させている途中の状態を示す図である。図８（ｃ）は、第１の実施形態に係る内管６１に対して外管６２を回転させた後の状態を示す図である。
【００３２】
図８（ａ）に示されるように、内管６１に対して、外管６２が回転していない状態では、複数の第２凸部６２５は、第１可動部６１５及び第２可動部６１６の外周面と、外管６２の内周面との間で、かつ、第１可動部６１５と第２可動部６１６との間に位置する。このとき、複数の第２凸部６２５は、第１可動部６１５及び第２可動部６１６とは接触していない。よって、開口部６１７の短手方向の長さ（第１可動部６１５と第２可動部６１６との間の長さ）は、穴６１４の直径よりも大きい。この結果、穴６１４から噴射される流体Ｗは、第１可動部６１５及び第２可動部６１６と接触せずに、ストレートな形状で、開口部６１７から噴出される。
【００３３】
内管６１に対して、外管６２を回転させていくと、図８（ｂ）で示される状態となる。図８（ｂ）で示されるように、外管６２が回転すると、複数の第２凸部６２５は、第１可動部６１５の第１凸部６１５４及び第２可動部６１６の第１凸部６１６４とに接触する。具体的には、複数の第２凸部６２５における周方向と径方向の高さが徐々に大きくなる部分の一部が、第１可動部６１５の第１凸部６１５４及び第２可動部６１６の第１凸部６１６４とに接触する。よって、第１凸部６１５４、６１６４が、第２凸部６２５で押されることで、第１可動部６１５及び第２可動部６１６は、外管６２の径方向における中心に向かって押圧される。
【００３４】
このとき、開口部６１７の短手方向における長さは、穴６１４の直径よりもやや小さくなる。この結果、穴６１４から噴射される流体Ｗは、第１可動部６１５及び第２可動部６１６とに接触し、やや拡散するように（ワイドな形状で）、開口部６１７から噴出される。
【００３５】
そして、外管６２をさらに回転させると、図８（ｃ）で示される状態となる。図８（ｃ）で示されるように、外管６２がさらに回転すると、複数の第２凸部６２５は、第１可動部６１５の第１凸部６１５４及び第２可動部６１６の第１凸部６１６４とに接触する。具体的には、複数の第２凸部６２５における径方向の高さが最も大きい部分が、第１可動部６１５の第１凸部６１５４及び第２可動部６１６の第１凸部６１６４とに接触する。
【００３６】
よって、第１凸部６１５４、６１６４が、第２凸部６２５で押されることで、第１可動部６１５及び第２可動部６１６は、外管６２の径方向における中心に向かってさらに押圧される。そして、上端部６１５２と凸部６１６３とが接触し、上端部６１６２と凸部６１５３とが接触する。そして、外管６２は、内管６１に対して、これ以上回転することができない状態となる。このとき、開口部６１７の短手方向における長さは、穴６１４の直径よりも小さくなる。この結果、穴６１４から噴射される流体Ｗは、第１可動部６１５及び第２可動部６１６とに接触し、拡散するように（ワイドな形状で）、開口部６１７から噴出される。
【００３７】
［第１の実施形態に係るノズル６による効果］
第１の実施形態に係るノズル６は、流体を噴射する開口部６１７を有する内管６１と、内管６１の外側に設けられていて、回転可能な外管６２と、を有する。内管６１は、開口部６１７を取り囲む可動部６１５、６１６の外周側に複数の第１凸部６１５４、６１６４を有し、外管６２は、内側に複数の第２凸部６２５を有する。外管６２が回転することにより第１凸部６１５４、６１６４が第２凸部６２５で押されることで、内管６１の開口部６１７の大きさが変化する。
【００３８】
本実施形態に係るノズル６は、このような構成を有するので、内管６１に対して外管６２を回転させることにより、噴射される流体Ｗの形状を変化させることができる。この結果、コンパクトで、かつ、部品点数が少ないノズルを提供することができる。
【００３９】
＜第２の実施形態＞
第１の実施形態に係るノズル６の外管６２に設けられた第２凸部６２５は、外管６２の周方向に沿って、周方向と直交する径方向の高さが徐々に大きくなる形状であった。これに対して、第２の実施形態に係るノズル６の外管６２ａには、山形状の凸部である第２凸部６２５ａが設けられている点で、第１の実施形態と異なり、他の点で同じである。
【００４０】
図９（ａ）は、第２の実施形態に係る内管６１に対して外管６２ａを回転させる前の状態を示す図である。図９（ｂ）は、第２の実施形態に係る内管６１に対して外管６２ａを回転させている途中の状態を示す図である。図９（ｃ）は、第２の実施形態に係る内管６１に対して外管６２ａを回転させた後の状態を示す図である。
【００４１】
外管６２ａは、第２凸部６２５ａを有する。第２凸部６２５ａは、外管６２ａの周方向に沿って、周方向と直交する径方向の高さが徐々に大きくなり、かつ、径方向における最大の高さを有する部分から、径方向の高さが徐々に小さくなる段差部である。
【００４２】
図９（ａ）に示されるように、内管６１に対して、外管６２ａが回転していない状態では、複数の第２凸部６２５ａは、第１可動部６１５及び第２可動部６１６の外周面と、外管６２ａの内周面との間で、かつ、第１可動部６１５と第２可動部６１６との間に位置する。このとき、複数の第２凸部６２５ａは、第１可動部６１５及び第２可動部６１６とは接触していない。よって、開口部６１７の短手方向の長さは、穴６１４の直径よりも大きい。この結果、穴６１４から噴射される流体Ｗは、第１可動部６１５及び第２可動部６１６と接触せずに、ストレートな形状で、開口部６１７から噴出される。
【００４３】
内管６１に対して、外管６２ａを回転させていくと、図９（ｂ）で示される状態となる。図９（ｂ）で示されるように、外管６２ａが回転すると、複数の第２凸部６２５ａは、第１可動部６１５の第１凸部６１５４及び第２可動部６１６の第１凸部６１６４とに接触する。具体的には、複数の第２凸部６２５ａにおける径方向の高さが徐々に大きくなる部分の一部が、第１可動部６１５の第１凸部６１５４及び第２可動部６１６の第１凸部６１６４とに接触する。よって、第１凸部６１５４、６１６４が、第２凸部６２５ａで押されることで、第１可動部６１５及び第２可動部６１６は、外管６２ａの径方向における中心に向かって押圧される。
【００４４】
このとき、開口部６１７の短手方向における長さは、穴６１４の直径よりもやや小さくなる。この結果、穴６１４から噴射される流体Ｗは、第１可動部６１５及び第２可動部６１６とに接触し、ややワイドな形状で、開口部６１７から噴出される。
【００４５】
そして、外管６２ａをさらに回転させると、図９（ｃ）で示される状態となる。図９（ｃ）で示されるように、外管６２ａがさらに回転すると、複数の第２凸部６２５ａは、第１可動部６１５の第１凸部６１５４及び第２可動部６１６の第１凸部６１６４とに接触する。具体的には、複数の第２凸部６２５ａにおける径方向の高さが最も大きい部分が、第１可動部６１５の第１凸部６１５４及び第２可動部６１６の第１凸部６１６４とに接触する。
【００４６】
よって、第１凸部６１５４、６１６４が、第２凸部６２５ａで押されることで、第１可動部６１５及び第２可動部６１６は、外管６２ａの径方向における中心に向かってさらに押圧される。そして、上端部６１５２と凸部６１６３とが接触し、上端部６１６２と凸部６１５３とが接触する。そして、外管６２は、内管６１に対して、これ以上回転することができない状態となる。このとき、開口部６１７の短手方向における長さは、穴６１４の直径よりも小さくなる。この結果、穴６１４から噴射される流体Ｗは、第１可動部６１５及び第２可動部６１６とに接触し、拡散するように（ワイドな形状）で、開口部６１７から噴出される。
【００４７】
ノズル６は、このように第２凸部６２５ａを有することにより、内管６１に対して、外管６２ａを回転させる際における回転方向を、一方向のみではなく、二方向とすることができる。
【００４８】
以上、本考案を実施の形態を用いて説明したが、本考案の技術的範囲は上記実施の形態に記載の範囲には限定されない。上記実施の形態に、多様な変更又は改良を加えることが可能であることが当業者に明らかである。そのような変更又は改良を加えた形態も本考案の技術的範囲に含まれ得ることが、特許請求の範囲の記載から明らかである。
【符号の説明】
【００４９】
Ｓ・・・ノズルユニット
Ｗ・・・流体
１・・・接続部
２・・・把持部
３・・・第１供給管
４・・・回転部
５・・・第２供給管
６・・・ノズル
６１・・・内管
６１１・・・内管本体
６１２・・・操作部
６１２１・・・凸部
６１３・・・凹部
６１４・・・穴
６１５・・・第１可動部
６１５１・・・縦板部
６１５２・・・上端部
６１５３・・・凸部
６１５４・・・第１凸部
６１６・・・第２可動部
６１６１・・・縦板部
６１６２・・・上端部
６１６３・・・凸部
６１６４・・・第１凸部
６１７・・・開口部
６２、６２ａ・・・外管
６２１・・・外管本体
６２２・・・凸部
６２３・・・凸部
６２４・・・凸部
６２５、６２５ａ・・・第２凸部
【図１】
0003207269.tif 000003
【図２】
0003207269.tif 000004
【図３】
0003207269.tif 000005
【図４】
0003207269.tif 000006
【図５】
0003207269.tif 000007
【図６】
0003207269.tif 000008
【図７】
0003207269.tif 000009
【図８】
0003207269.tif 000010
【図９】
0003207269.tif 000011